(57)【要約】【解決手段】セラミックタイルレベリングブラケット、プッシュクランププライヤ、ならびにセラミックタイルのレベリングおよび敷設システムが開示される。セラミックタイルのレベリングおよび敷設システムは、セラミックタイルレベリングブラケット（１）と、インサートブロック（２）と、プッシュクランププライヤ（３）とを含み、セラミックタイルレベリングブラケット（１）は、２つの隣接するセラミックタイル（４）の間の接合部に設けられ、インサートブロック（２）の一端は、セラミックタイルレベリングブラケット（１）のインサートブロック貫通孔（１６）に挿入され、プッシュクランププライヤ（３）は、インサートブロック（２）をインサートブロック貫通孔（１６）に押し込みクランプして、インサートブロック底面（２１）が２つのセラミックタイル（４）の上面に接するようにする。セラミックタイルのレベリングおよび敷設システムは操作が簡単で、敷設効率と敷設品質の向上に役立つ。【選択図】図１
2020514596.tif 000002
【特許請求の範囲】
【請求項１】
２つの隣接するセラミックタイルの底面を支持するためのパッドと、
前記隣接する２つのセラミックタイルの間の隙間に挿入するための、前記パッドの上面の中心線から突出するインサートと、
前記インサートの下側部分に位置し、かつ前記パッドに隣接する破断可能なシートと、を含み、
前記インサートは、
前記インサートを貫通し、かつインサートブロックが挿入されるインサートブロック貫通孔、および／または、
片側または両側で前記インサートの側縁に配置され、前記シートの高さよりも大きい高さを有するバヨネットを含むことを特徴とするセラミックタイルレベリングブラケット。
【請求項２】
前記インサートは、
片側または両側で前記インサートの側縁に配置され、前記バヨネットに向かって突出するフック状係合ブロックをさらに含み、
前記バヨネットの底部は円弧形状であり、前記フック状係合ブロックに近い前記バヨネットの部分はフック状バヨネット部分を形成することを特徴とする、請求項１に記載のセラミックタイルレベリングブラケット。
【請求項３】
前記インサートは、
片側または両側で前記インサートの表面から窪んだ直線溝を含み、前記直線溝の底部は前記シートであることを特徴とする、請求項１に記載のセラミックタイルレベリングブラケット。
【請求項４】
前記パッドの底面は、円筒状側面の一部である円弧状の表面であり、
前記パッドの２つの端部は、前記セラミックタイルの底面と接触するように、前記底面の中央から上方に延在することを特徴とする、請求項１に記載のセラミックタイルレベリングブラケット。
【請求項５】
前記パッドは、
前記パッドの前記２つの端部の頂部に配置された補強リブ、および／または、
前記パッドを貫通するパッド貫通孔を含むことを特徴とする、請求項１に記載のセラミックタイルレベリングブラケット。
【請求項６】
前記インサートブロックの縦断面は楔状であり、前記縦断面は、
平面であるインサートブロック底面と、
傾斜面であって、前記インサートブロック底面と鋭角をなすインサートブロック上面と、
前記インサートブロック上面から突出し、同じ直線上に配置された２つ以上のセレーションと、を含み、各セレーションは垂直セレーション面および傾斜セレーション面を含み、前記垂直セレーション面は前記インサートブロック底面に対して垂直であることを特徴とする、請求項１に記載のセラミックタイルレベリングブラケット。
【請求項７】
第１のクランプ部分および第１のハンドヘルド部分を含む第１の構成要素と、
第２のクランプ部分および第２のハンドヘルド部分を含む第２の構成要素と、
前記第２のクランプ部分を前記第１のクランプ部分に回転可能に接続するためのピボットと、を含むプッシュクランププライヤであって、
前記第１のクランプ部分の上端に配置された第１のクランプブロックと、
前記第２のクランプ部分の上端に配置され、前記第１のクランプブロックに対向して配置された第２のクランプブロックと、
前記第１のクランプブロックの内側壁から窪んでおり、溝の開口部の方向が前記第２のクランプブロックに面しているクランプ溝と、
前記第２のクランプブロックを貫通し、前記クランプ溝に対向して配置されたクランプ貫通溝と、
をさらに含むことを特徴とするプッシュクランププライヤ。
【請求項８】
前記セラミックタイルレベリングブラケットの前記シートを損傷させて前記シートの上の前記インサートの部分を除去するための引き抜き装置をさらに含むことを特徴とする、請求項７に記載のプッシュクランププライヤ。
【請求項９】
前記引き抜き装置は、
前記第１のクランプブロックの外側壁から鉤状に突出するフック傾斜部分と、
前記第２のクランプブロックの側壁と前記頂部との間の接合部に配置された丸みのある部分と、を含むか、または、
前記引き抜き装置は、
前記第２のクランプブロックの外側壁から鉤状に突出するフック傾斜部分と、
前記第１のクランプブロックの側壁と前記頂部との間の接合部に配置された丸みのある部分と、を含むことを特徴とする、請求項８に記載のプッシュクランププライヤ。
【請求項１０】
前記第１のクランプブロックの内側面に配置され、かつ前記第２のクランプブロックに対向して配置されるクランプ歯、
および／または前記第２のクランプブロックの内側面に配置され、かつ前記第１のクランプブロックに対向して配置されるクランプ歯をさらに含むことを特徴とする、請求項７に記載のプッシュクランププライヤ。
【請求項１１】
一端が前記第１のクランプ部分に接続され、他端が前記第２のクランプ部分に接続された、または一端が前記第１のハンドヘルド部分に接続され、他端が前記第２のハンドヘルド部分に接続された弾性部材をさらに含むことを特徴とする、請求項７に記載のプッシュクランププライヤ。
【請求項１２】
前記第１のクランプ部分の側面から突出する第１のガイドポストと、
前記第２のクランプ部分の側面から突出し、前記第１のガイドポストに対向して配置された第２のガイドポストと、をさらに含み、
前記弾性部材は、一端が前記第１のガイドポストに被せられ、かつ他端が前記第２のガイドポストに被せられたコイルばねであることを特徴とする、請求項１１に記載のプッシュクランププライヤ。
【請求項１３】
前記第１のハンドヘルド部分の側面から突出する第１のガイドポストと、
前記第２のハンドヘルド部分の側面から突出し、前記第１のガイドポストに対向して配置された第２のガイドポストと、をさらに含み、
前記弾性部材は、一端が前記第１のガイドポストに被せられ、かつ他端が前記第２のガイドポストに被せられたコイルばねであることを特徴とする、請求項１１に記載のプッシュクランププライヤ。
【請求項１４】
前記プッシュクランププライヤを開状態と閉状態との間で切り替えるための係止装置をさらに含み、
前記係止装置が係止されている場合に、前記プッシュクランププライヤは閉状態にあり、
前記係止装置が係止解除されている場合に、前記プッシュクランププライヤは開状態にあることを特徴とする、請求項７に記載のプッシュクランププライヤ。
【請求項１５】
前記第１のクランプ部分の一部であって、前記ピボットの外側に被せられた第１の屈曲部分と、
前記第２のクランプ部分の一部であって、前記ピボットの外側に被せられた第２の屈曲部分と、
をさらに含むことを特徴とする、請求項７に記載のプッシュクランププライヤ。
【請求項１６】
前記係止装置は、
前記第１の屈曲部分の外側壁に配置された係止溝と、
前記第２のクランプ部分の端部の表面に回転可能に嵌合し、前記係止溝に対向して配置された係止部材と、
前記第１のクランプ部分の端部の表面に配置され、前記第２の屈曲部分に対向して配置された遮断ブロックと、を含み、前記プッシュクランププライヤの開き角度が最大である場合に、前記遮断ブロックが前記第２の屈曲部分の外側壁と接触することを特徴とする、請求項１４に記載のプッシュクランププライヤ。
【請求項１７】
前記係止装置は、
前記第２の屈曲部分の外側壁に配置された係止溝と、
前記第１のクランプ部分の端部の表面に回転可能に嵌合し、前記係止溝に対向して配置された係止部材と、
前記第２のクランプ部分の端部の表面に配置され、前記第１の屈曲部分に対向して配置された遮断ブロックと、を含み、前記プッシュクランププライヤの開き角度が最大である場合に、前記遮断ブロックが前記第１の屈曲部分の外側壁と接触することを特徴とする、請求項１４に記載のプッシュクランププライヤ。
【請求項１８】
前記係止部材は、
第２のピボットを介して前記第１のクランプ部分または前記第２のクランプ部分の前記端部に回転可能に接続された係止部材本体と、
前記係止部材本体の表面から突出する係止係合ブロックと、
前記係止部材本体を回転させるように駆動するために前記係止部材本体の前記表面から突出するタブと、
を含むことを特徴とする、請求項１６または１７に記載のプッシュクランププライヤ。
【請求項１９】
前記係止係合ブロックが前記係止溝に係合された場合に前記係止装置が係止され、
前記係止係合ブロックが前記係止溝から係合解除された場合に前記係止装置が係止解除されることを特徴とする、請求項１８に記載のプッシュクランププライヤ。
【請求項２０】
２つの隣接するセラミックタイルの間の前記接合部に設けられた、請求項１〜６のいずれか一項に記載のセラミックタイルレベリングブラケットと、
一端が前記セラミックタイルレベリングブラケットのインサートブロック貫通孔に挿入されるインサートブロックと、
インサートブロック底面が前記２つのセラミックタイルの上面に接するように、前記インサートブロックを前記インサートブロック貫通孔に押し込みクランプするための、請求項７から１９のいずれか一項に記載のプッシュクランププライヤと、
を含むセラミックタイルのレベリングおよび敷設システム。
【発明の詳細な説明】
【技術分野】
【０００１】
本発明は、セラミックタイル敷設工具、特にセラミックタイルレベリングブラケット、プッシュクランププライヤ、ならびにセラミックタイルのレベリングおよび敷設システムに関する。
【背景技術】
【０００２】
建築装飾産業でしばしば使用されるセラミックタイル象嵌工程は、主に伝統的な手動舗装方法を使用する。床セラミックタイルを舗装するための一般的な方法は、一般に乾式敷設方法と湿式敷設方法とに分けられる。
【０００３】
湿式敷設方法は、セメントモルタルを接着剤として使用してセラミックタイルを壁または床に直接貼り付ける。その欠点は、舗装されたセラミックタイルの平坦度および充満度が比較的貧弱であり、その粘度もまた貧弱であるため、小さいセラミックタイルの貼り付けにしか適用できず、大きな制限があることである。そして、貼り付け工程における作業負荷が比較的大きく、建設作業員に対する技術的要求が高く、施工効率が低い。
【０００４】
乾式敷設方法は、平らで乾燥した床の上に床タイルなどのより大きなサイズおよび面積のセラミックタイルを直接敷設する。その欠点は、必要とされる敷設材料の厚さが比較的大きく、床の平坦度に対する要求がより高く、床全体を平らにするのに十分な量のセメントを使用する必要があることであり、これは建設作業員に高い技術レベルを必要とする。材料の無駄の現象はより深刻であり、平坦度が十分でない場合、それは敷設の品質に影響を与える空洞現象が生じやすい。また、セラミックタイルを敷設する前にセメントが固化して乾燥するのを待つ必要があり、さらにセラミックタイルを敷設した後にラバーハンマーで叩く必要があるため、工程が複雑になり、作業量が多くなり、敷設速度が遅く、施工効率が低い。
【０００５】
セラミックタイルのレベリングを迅速に達成し、施工効率を改善することができる、セラミックタイルの敷設を補助することができる装置が市場に求められている。
【発明の概要】
【０００６】
本発明の目的は、複雑なレベリングおよび敷設工程、低い敷設効率、および作業者に対する高い技術的要求などの従来技術の問題を解決するセラミックタイルのレベリングおよび敷設装置を提供することである。
【０００７】
上記の技術的問題を解決するために、本発明は、セラミックタイルのレベリングおよび敷設システムを提供し、本システムは、２つの隣接するセラミックタイルの間の接合部に配置されたセラミックタイルレベリングブラケットと、一端がセラミックタイルレベリングブラケットのインサートブロック貫通孔に挿入されるインサートブロックと、インサートブロック底面が２つのセラミックタイルの上面に接するように、インサートブロックをインサートブロック貫通孔に押し込みクランプするためのプッシュクランププライヤと、を含む。
【０００８】
上記の技術的問題を解決するために、本発明はまた、セラミックタイルレベリングブラケットを提供し、セラミックタイルレベリングブラケットは、２つの隣接するセラミックタイルの底面を支持するためのパッドと、隣接する２つのセラミックタイルの間の隙間に挿入するための、パッドの上面の中心線から突出するインサートと、インサートの下側部分に位置し、かつパッドに隣接する破断可能なシートと、を含み、インサートは、インサートを貫通し、かつインサートブロックが挿入されるインサートブロック貫通孔、および／または、片側または両側でインサートの側縁に配置され、シートの高さよりも大きい高さを有するバヨネットを含む。
【０００９】
さらに、様々な実施形態では、インサートは、片側または両側でインサートの側縁に配置され、バヨネットに向かって突出するフック状係合ブロックをさらに含み、バヨネットの底部は円弧形状であり、フック状係合ブロックに近いバヨネットの部分はフック状バヨネット部分を形成する。
【００１０】
さらに、様々な実施形態では、インサートは、片側または両側でインサートの表面から窪んだ直線溝を含み、直線溝の底部はシートである。
【００１１】
さらに、様々な実施形態では、パッドの底面は、円筒状側面の一部である円弧状の表面であり、パッドの２つの端部は、セラミックタイルの底面と接触するように、底面の中央から上方に延在する。
【００１２】
さらに、様々な実施形態では、パッドは、パッドの２つの端部の頂部に配置された補強リブ、および／または、パッドを貫通するパッド貫通孔を含む。
【００１３】
さらに、様々な実施形態では、インサートブロックの縦断面は楔状であり、縦断面は、平面であるインサートブロック底面と、傾斜面であって、インサートブロック底面と鋭角をなすインサートブロック上面と、インサートブロック上面から突出し、同じ直線上に配置された２つ以上のセレーションと、を含み、各セレーションは垂直セレーション面および傾斜セレーション面を含み、垂直セレーション面はインサートブロック底面に対して垂直である。
【００１４】
インサートブロックをインサートブロック貫通孔に挿入してクランプするという技術的問題を解決するために、本発明はまた、プッシュクランププライヤを提供し、プッシュクランププライヤは、第１のクランプ部分および第１のハンドヘルド部分を含む第１の構成要素と、第２のクランプ部分および第２のハンドヘルド部分を含む第２の構成要素と、第２のクランプ部分を第１のクランプ部分に回転可能に接続するためのピボットと、さらに、第１のクランプ部分の上端に配置された第１のクランプブロックと、第２のクランプ部分の上端に配置され、第１のクランプブロックに対向して配置された第２のクランプブロックと、第１のクランプブロックの内側壁から窪んでおり、溝の開口部の方向が第２のクランプブロックに面しているクランプ溝と、第２のクランプブロックを貫通し、クランプ溝に対向して配置されたクランプ貫通溝と、を含む。
【００１５】
さらに、様々な実施形態では、プッシュクランププライヤは、セラミックタイルレベリングブラケットのシートを損傷させてシートの上のインサートの部分を除去するための引き抜き装置をさらに含む。
【００１６】
さらに、様々な実施形態では、引き抜き装置は、第１のクランプブロックの外側壁から鉤状に突出するフック傾斜部分と、第２のクランプブロックの側壁と頂部との間の接合部に配置された丸みのある部分と、を含むか、または、引き抜き装置は、第２のクランプブロックの外側壁から鉤状に突出するフック傾斜部分と、第１のクランプブロックの側壁と頂部との間の接合部に配置された丸みのある部分と、を含む。
【００１７】
さらに、様々な実施形態では、プッシュクランププライヤは、第１のクランプブロックの内側面に配置され、かつ第２のクランプブロックに対向して配置されるクランプ歯、および／または第２のクランプブロックの内側面に配置され、かつ第１のクランプブロックに対向して配置されるクランプ歯をさらに含む。
【００１８】
さらに、様々な実施形態では、プッシュクランププライヤは、一端が第１のクランプ部分に接続され、他端が第２のクランプ部分に接続された、または一端が第１のハンドヘルド部分に接続され、他端が第２のハンドヘルド部分に接続された弾性部材をさらに含む。
【００１９】
さらに、様々な実施形態では、プッシュクランププライヤは、第１のクランプ部分の側面から突出する第１のガイドポストと、第２のクランプ部分の側面から突出し、第１のガイドポストに対向して配置された第２のガイドポストと、をさらに含み、弾性部材は、一端が第１のガイドポストに被せられ、かつ他端が第２のガイドポストに被せられたコイルばねである。
【００２０】
さらに、様々な実施形態では、プッシュクランププライヤは、第１のハンドヘルド部分の側面から突出する第１のガイドポストと、第２のハンドヘルド部分の側面から突出し、第１のガイドポストに対向して配置された第２のガイドポストと、をさらに含み、弾性部材は、一端が第１のガイドポストに被せられ、かつ他端が第２のガイドポストに被せられたコイルばねである。
【００２１】
さらに、様々な実施形態では、プッシュクランププライヤは、プッシュクランププライヤを開状態と閉状態との間で切り替えるための係止装置をさらに含み、係止装置が係止されている場合に、プッシュクランププライヤは閉状態にあり、係止装置が係止解除されている場合に、プッシュクランププライヤは開状態にある。
【００２２】
さらに、様々な実施形態では、プッシュクランププライヤは、第１のクランプ部分の一部であって、ピボットの外側に被せられた第１の屈曲部分と、第２のクランプ部分の一部であって、ピボットの外側に被せられた第２の屈曲部分と、をさらに含む。
【００２３】
さらに、様々な実施形態では、係止装置は、第１の屈曲部分の外側壁に配置された係止溝と、第２のクランプ部分の端部の表面に回転可能に嵌合し、係止溝に対向して配置された係止部材と、第１のクランプ部分の端部の表面に配置され、第２の屈曲部分に対向して配置された遮断ブロックと、を含み、プッシュクランププライヤの開き角度が最大である場合に、遮断ブロックが第２の屈曲部分の外側壁と接触する。
【００２４】
さらに、様々な実施形態では、係止装置は、第２の屈曲部分の外側壁に配置された係止溝と、第１のクランプ部分の端部の表面に回転可能に嵌合し、係止溝に対向して配置された係止部材と、第２のクランプ部分の端部の表面に配置され、第１の屈曲部分に対向して配置された遮断ブロックと、を含み、プッシュクランププライヤの開き角度が最大である場合に、遮断ブロックが第１の屈曲部分の外側壁と接触する。
【００２５】
さらに、様々な実施形態では、係止部材は、第２のピボットを介して第１のクランプ部分または第２のクランプ部分の端部に回転可能に接続された係止部材本体と、係止部材本体の表面から突出する係止係合ブロックと、係止部材本体を回転させるように駆動するために係止部材本体の表面から突出するタブと、を含む。
【００２６】
さらに、様々な実施形態では、係止係合ブロックが係止溝に係合された場合に係止装置が係止され、係止係合ブロックが係止溝から係合解除された場合に係止装置が係止解除される。
【００２７】
本発明は、セラミックタイルレベリングブラケット、プッシュクランププライヤならびにセラミックタイルのレベリングおよび敷設システムを提供することによって、セラミックタイルレベリング工程において、セラミックタイルレベリングブラケットおよびインサートブロックを使用して２つの隣接するセラミックタイルの間の接合部を支持することにより、同一面積内の複数のセラミックタイルの上面が同一平面上に保たれ、作業が単純かつ便利であり、そして敷設効率およびレベリング品質が効果的に改善され、それによって大規模な適用が容易になるという利点がある。
【図面の簡単な説明】
【００２８】
【図１】本発明の一実施形態による使用時のセラミックタイルのレベリングおよび敷設システムの概略構造図である。
【図２】本発明の一実施形態によるセラミックタイルレベリングブラケットの概略斜視構造図である。
【図３】本発明の一実施形態によるセラミックタイルレベリングブラケットの縦断面を示す概略図である。
【図４】本発明の一実施形態によるセラミックタイルレベリングブラケットの概略正面構造図である。
【図５】本発明の一実施形態によるインサートブロックおよびインサートブロック貫通孔の概略断面構造図である。
【図６】本発明の一実施形態によるプッシュクランププライヤの概略構造図である。
【図７】本発明の一実施形態によるプッシュクランププライヤの概略分解構造図である。
【図８】本発明の一実施形態による係止装置の概略側面構造図である。
【図９】本発明の一実施形態による使用時のセラミックタイルのレベリングおよび敷設システムの側面図である。
【図１０】本発明の一実施形態によるプッシュクランププライヤを用いたインサートの除去の概略図である。
【００２９】
図中の部品には、次のように符号が付けられている。
【００３０】
１  セラミックタイルレベリングブラケット、２  インサートブロック、３  プッシュクランププライヤ、４  セラミックタイル。
【００３１】
１１  パッド、１２  インサート、１３  シート、１４  補強リブ、１５  パッド貫通孔、１６  インサートブロック貫通孔。
【００３２】
１７  直線溝、１８  バヨネット、１９  フック状係合ブロック、２０  フック状バヨネット部分。
【００３３】
２１  インサートブロック底面、２２  インサートブロック上面、２３  セレーション、２４  垂直セレーション面、２５  傾斜セレーション面。
【００３４】
３１  第１の構成要素、３２  第２の構成要素、３３  ピボット、３４  クランプ歯、３５  引き抜き装置、３６  弾性部材。
【００３５】
３７  係止装置。
【００３６】
３１１  第１のクランプ部分、３１２  第１のハンドヘルド部分、３１３  第１のクランプブロック、３１４  クランプ溝、３１５  第１の屈曲部分。
【００３７】
３２１  第２のクランプ部分、３２２  第２のハンドヘルド部分、３２３  第２のクランプブロック、３２４  クランプ貫通溝、３２５  第２の屈曲部分。
【００３８】
３５１  フック傾斜部分、３５２  丸みのある部分、３６１  第１のガイドポスト、３６２  第２のガイドポスト。
【００３９】
３７１  係止溝、３７２  係止部材、３７３  遮断ブロック。
【００４０】
３７２１  係止部材本体、３７２２  係止係合ブロック、３７２３  タブ、３７２４  第２のピボット、３７２５  ガスケット。
【発明を実施するための形態】
【００４１】
以下、添付図面を参照しながら本発明の好適な実施形態を詳細に説明し、本発明の技術的内容がより明確かつ容易に理解されるように当業者に十分に導入することができる。本発明は様々な形態の実施形態で具体化することができ、本発明の保護範囲はここに述べる実施形態に限定されない。
【００４２】
図面では、同一の符号は同一の構造を有する構成要素を示し、類似の符号は全体を通して類似の構造または機能を有するアセンブリを示す。図示されている各アセンブリのサイズおよび厚さは任意に示されており、本発明は各アセンブリのサイズおよび厚さを規定するものではない。図をより明確にするために、図のいくつかの場所における構成要素の厚さは適切に誇張されている。
【００４３】
本発明で言及される「上」、「下」、「前」、「後」、「左」、「右」、「内側」、「外側」、「側面」などの向きの用語は、単に図面中での向きであって、本発明を説明および例示することのみを意図しており、本発明の保護範囲を限定することを意図していない。
【００４４】
特定のアセンブリがさらなるアセンブリの「上」にあると記載されている場合、そのアセンブリはさらなるアセンブリの上に直接配置することができる。また、そのアセンブリが上に配置されている中間アセンブリがあってもよく、中間アセンブリはさらなるアセンブリ上に配置されている。アセンブリがさらなるアセンブリに「取り付けられる」または「接続される」と記載されている場合、それは直接的に「取り付けられる」または「接続される」か、または中間アセンブリを介してさらなるアセンブリに間接的に「取り付けられる」または「接続される」と理解することができる。
【００４５】
図１に示すように、この実施形態はセラミックタイルレベリングシステムを提供し、このシステムは、  セラミックタイルのすべての上面が同じ平面上にあるように、セラミックタイル敷設工程においてセラミックタイル４をレベリングするのを助けるために互いに協働する、セラミックタイルレベリングブラケット１、インサートブロック２およびプッシュクランププライヤ３を含む。
【００４６】
セラミックタイル敷設の施工中に、ユーザは、必要に応じて、セメントなどの接着剤、およびセラミックタイル接着剤を床または壁に塗布し、その後に、複数のセラミックタイルを順次床または壁に敷設することができる。敷設中に、セラミックタイルレベリングブラケット１は、任意の２つの隣接するセラミックタイル４の接合部に配置され、正方形のセラミックタイルを例とすると、その四辺の各々にセラミックタイルレベリングブラケット１を設ける必要がある。
【００４７】
図２〜図４に示すように、セラミックタイルレベリングブラケット１は、一体的に設けられたパッド１１とインサート１２とを備えている。インサート１２は、パッド１１の上面の中心線から突出している。セラミックタイルレベリングブラケット１の縦断面は、ほぼ逆Ｔ字形である。パッド１１は、２つの隣接するセラミックタイル４の下に配置され、インサート１２は、２つの隣接するセラミックタイル４の間の隙間に挿入される。
【００４８】
パッド１１の底面は、円筒状の側面の一部である円弧状表面である。パッド１１の２つの端部は底面の中央から滑らかに上方に延びており、パッド１１の２つの端部の頂部には隣接する２つのセラミックタイル４の底面に接触して支持するための補強リブ１４が設けられている。パッド１１には、パッド１１を貫通する２つ以上のパッド貫通孔１５が設けられている。セラミックタイルレベリング工程では、セラミックタイル４の下の接着剤がパッド貫通孔１５からパッド１１とセラミックタイル４の下面とによって囲まれた空間に入る。接着剤の硬化中、パッド１１および２つのセラミックタイル４は一体に固定される。
【００４９】
図４および図５に示すように、インサート１２の中央にはインサートブロック貫通孔１６が設けられており、インサートブロック貫通孔１６はインサート１２を貫通しており、このインサートブロック貫通孔にインサートブロック２が挿入され得る。インサートブロック２の縦断面は楔形であって、インサートブロック底面２１とインサートブロック上面２２とを含み、インサートブロック底面２１は平面であり、インサートブロック上面２２は傾斜面であって、インサートブロック底面２１と好ましくは２０〜３０度の鋭角を形成する。インサートブロック上面２２には、２つ以上の突出するセレーション２３が設けられており、複数のセレーションは同一直線上に配置されている。各セレーション２３は垂直セレーション面２４と傾斜セレーション面２５とを含み、垂直セレーション面２４はインサートブロック底面２１に対して垂直であり、傾斜セレーション面２５の傾斜角は、インサートブロック上面２２の傾斜角と一致している。
【００５０】
図１に示すように、セラミックタイルレベリングブラケット１を２つの隣接するセラミックタイル４の間の隙間に組み付けた後に、インサートブロック２の下端部をインサートブロック貫通孔１６に挿入することができ、インサートブロック２の上端部の断面は半円形である。ユーザは、プッシュクランププライヤ３を使用することによってインサートブロック２をインサートブロック貫通孔１６に可能な限り押し込むことができ、それによってインサート１２を、インサートブロック上面２２の２つのセレーション間のセレーションギャップに係合することができ、２つのセラミックタイル４の位置が係止される。インサートブロック２をインサートブロック貫通孔１６に徐々に押し込む工程で、パッド１１がセラミックタイル４に対して狭い範囲で移動し、セラミックタイル４が持ち上げられる。２つのセラミックタイル４の高さは、インサートブロック底面２１が２つのセラミックタイル４の上面に接するように微調整される。このとき、セラミックタイル４の下の接着剤は硬化せず、パッド貫通孔１５を通ってパッド１１とセラミックタイル４とで囲まれた空間に流れ込むことができる。接着剤が硬化した後に、パッド１１とセラミックタイル４とが一体に固定される。インサートブロック底面２１が平面であるので、２つのセラミックタイル４の上面もまた同一平面内になければならず、それによって２つのセラミックタイルのレベリング工程を完了することができる。
【００５１】
この実施形態では、セラミックタイル４は長方形または正方形であり、その４つの辺と他のセラミックタイルとの間の接合部には、それぞれ上記の方法に従ってセラミックタイルレベリングブラケット１を設けることができる。同様に、施工現場で敷設されたすべてのセラミックタイルの上面は、複数のセラミックタイルレベリングブラケット１によって同じ平面上に配置することができ、その後に、接着剤（セメント、セラミックタイル接着剤など）を硬化させるために一定期間放置することができる。
【００５２】
図２および図３に示すように、パッド１１に近いインサート１２の下側部分には破断可能なシート１３が設けられており、シート１３はインサート１２の一部であり、特定の幅を有する直線の形状である。その幅に沿ってユーザはシート１３を引き裂いてシート１３を破断させることができ、その結果インサート１２は引き裂かれて上側部分と下側部分とに分割される。シート１３の高さは、セラミックタイル４の下面と実質的に同一平面上にある。
【００５３】
インサート１２はさらに、インサート１２の片側または両側の表面から窪んだ直線溝１７を含み、直線溝１７の底部はシート１３である。シート１３の片側または両側の溝構造によってシート１３の厚さが比較的薄くなり、その厚さは一般的に約１〜２ｍｍである。この溝構造によりシート１３が引き裂きやすくなる。接着剤が硬化した後に、ユーザは従来のプライヤ工具を用いてインサート１２の上側部分をシート１３から激しく破断または引き裂くことができる。
【００５４】
図４に示すように、この実施形態では、インサート１２の一方の側縁にはバヨネット１８が設けられているか、またはインサート１２の両側の側縁にはそれぞれバヨネット１８が設けられ、バヨネット１８の高さはシート１３の高さよりも大きい。インサート１２は、インサート１１の一方の側または両側の側縁に配置され、バヨネット１８に向かって突出するフック状係合ブロック１９をさらに含む。バヨネット１８の底部の縦断面は円弧状であり、フック状係合ブロック１９に隣接するバヨネット１８の部分はフック状バヨネット部分２０を形成する。バヨネット１８の底部は、プッシュクランププライヤ３のフック傾斜部分３５１の外縁と協働することができる接触縁部である。バヨネット１８の底部の縦断面は円弧状であり、円弧状の接触縁部（すなわち、フック状係合ブロック１９）の開口端部は下方に屈曲されている。
【００５５】
ユーザは、小さい釘抜きハンマーなどの引き抜き工具を使用することによって、インサート１２の上部をシート１３から除去することができる。具体的には、レバーの原理を使用してシート１３の上のインサートの部分を除去するために、引き抜き工具の鉤構造がバヨネット１８内に係合するために使用される。この実施形態では、引き抜き装置がプッシュクランププライヤ３に設けられており、引き抜き装置は、以下に詳細に説明するように、インサートの一部を迅速かつ効率的に除去するためにバヨネット１８に係合することができるフック状バヨネット部分２０を有する。
【００５６】
セラミックタイル敷設の施工では、セメント、セラミックタイル接着剤などを硬化させた後に、すべてのセラミックタイルレベリングブラケット１のインサート１２をシート１３から剥がして、インサート１２の上半分およびインサートブロック２が除去されて洗浄された後に、セラミックタイル間のすべての隙間が埋められ平坦化されて、セラミックタイル敷設の全工程を完了することができるので、作業は簡単であり、施工工程を効果的に減らすことができ、施工効率が向上する。
【００５７】
この実施形態では、プッシュクランププライヤ３を使用して、インサートブロック底面２１が２つのセラミックタイル４の上面に接するように、インサートブロック２をインサートブロック貫通孔１６に押し込みクランプする。
【００５８】
図６および図７に示すように、プッシュクランププライヤ３は、第１の構成要素３１、第２の構成要素３２、およびピボット３３を含む。第１の構成要素３１は、第１のクランプ部分３１１と第１のハンドヘルド部分３１２とを含む。第２の構成要素３２は、第２のクランプ部分３２１と第２のハンドヘルド部分３２２とを含む。第２のクランプ部分３１１は、ピボット３３を介して第１のクランプ部分３１１に回転可能に接続されている。第１のクランプ部分３１１の上端には第１のクランプブロック３１３が配置され、第２のクランプ部分３２１の上端には第２のクランプブロック３２３が配置されている。第２のクランプブロック３２３は第１のクランプブロック３１３と同じ高さにあり、それに対向して配置されている。
【００５９】
互いに対向する第１のクランプブロック３１３および第２のクランプブロック３２３の内側面にクランプ歯３４を設けることができ、第１のクランプブロック３１３のクランプ歯３４は第２のクランプブロック３２３に対向して配置され、第２のクランプブロック３２３のクランプ歯３４は、第１のクランプブロック３１３に対向して配置されている。すなわち、第１のクランプブロック３１３のクランプ歯３４は、第２のクランプブロック３２３のクランプ歯３４と対向している。互いに対向する２つのクランプブロックの内側面はクランプ面であり、クランプ歯３４はクランプ面とクランプされる対象物の表面との間の摩擦係数を増大させて、対象物が滑り落ちるのを防止することができる。
【００６０】
図１、図６および図７に示すように、この実施形態では、第１のクランプブロック３１３の内側壁には、開口部の方向が第２のクランプブロック３２３に面する窪んだクランプ溝３１４が設けられており、第２のクランプブロック３２３には、第２のクランプブロック３２３全体を横方向に貫通するクランプ貫通溝３２４が設けられている。クランプ貫通溝３２４は、クランプ溝３１４と対向して配置され、かつそれと同一直線上にある。クランプ貫通溝３２４の両側および底部の第２のクランプブロック３２３の部分は、２つの分岐部分を含む分岐構造を形成する。クランプ貫通溝３２４は、２つの分岐部分の間に位置し、クランプ歯３４は、２つの分岐部分の内側のクランプ面に設けられている。
【００６１】
図９に示すように、クランプ貫通溝３２４およびクランプ溝３１４は、セラミックタイルレベリングブラケット１のインサートブロック貫通孔１６にインサートブロック２を押し込むために使用される。インサートブロック２の下端がインサートブロック貫通孔１６に押し込まれると、ユーザはプッシュクランププライヤ３を上下逆にして開き、インサートブロック２の上端がクランプ溝３１４に置かれ、インサートブロック２の下端がクランプ貫通溝３２４内に配置され、次いで２つのハンドヘルド部分３１２、３２２が力によって閉じられる。プッシュクランププライヤ３を閉じている間、第１のクランプブロック３１３がインサートブロック２の上端をインサートブロック貫通孔１６に押し込み、第２のクランプブロック３２３の分岐部分がインサート１２の一方の側に押し付けられ、インサートブロック２の下端がクランプ貫通溝３２４を通って摺動して、インサートブロック２をインサートブロック貫通孔１６内に固定することにより、インサート１２をインサートブロック上面２２の特定のセレーション上に係合させることができ、それによって２つのセラミックタイル４の位置を係止することができる。
【００６２】
この実施形態では、プッシュクランププライヤ３は、セラミックタイルレベリングブラケット１のシート１３を損傷させてシート１３の上のインサート１２の部分を除去するための引き抜き装置３５をさらに含む。
【００６３】
図６および図７に示すように、引き抜き装置３５は、フック傾斜部分３５１と丸みのある部分３５２とを含む。フック傾斜部分３５１は、第１のクランプブロック３１３の外側壁から鉤状に突出しており、フック傾斜部分３５１の外縁は滑らかな平面または円弧状面であり、第１のクランプブロック３１３の側壁と頂部との間の接合部に配置されている。丸みのある部分３５２は、第２のクランプブロック３２３の側壁と頂部との間の接合部に配置され、２つの分岐部分の各々は丸みのある部分３５２を有する。あるいは、フック傾斜部分３５１は、第２のクランプブロック３２３の外側壁から鉤状に突出しており、２つの分岐部分は外向きに突出し、そこからフック傾斜部分３５１が延在し、フック傾斜部分３５１の外縁は滑らかな平面または円弧状面であり、第２のクランプブロック３２３の側壁と頂部との間の接合部に配置されている。丸みのある部分３５２は、第１のクランプブロック３１３の側壁と頂部との間の接合部に設けられている。
【００６４】
この実施形態では、インサート１２の両側の側縁には、それぞれバヨネット１８とフック状係合ブロック１９とが設けられており、フック状係合ブロック１９はバヨネット１８の上側部分に配置されてバヨネット１８に向かって突出しており、フック状係合ブロック１９に隣接するバヨネット１８の部分はフック状バヨネット部分２０を形成する。バヨネット１８の底部は、プッシュクランププライヤ３のフック傾斜部分３５１の外縁と協働することができる接触縁部である。バヨネット１８の底部の縦断面は円弧状であり、円弧状の接触縁部（すなわち、フック状係合ブロック１９）の開口端部は下方に屈曲されている。
【００６５】
セラミックタイル敷設工程では、接着剤を硬化させた後に、パッド１１とセラミックタイル４の両方を接着剤で固定し、ユーザがプッシュクランププライヤ３の引き抜き装置３５によってインサート１２の上半分を除去することができる。図１０に示すように、最初に、ユーザは、プッシュクランププライヤ３を閉じてロックする必要があり、引き抜き装置３５のフック傾斜部分３５１がインサート１２の側縁のバヨネット１８内に係合され、フック傾斜部分３５１の外縁がバヨネット１８の接触縁に沿って摺動し、フック傾斜部分３５１がフック状バヨネット部分２０内に係合され、  そして、引き抜き装置３５の丸みのある部分３５２がセラミックタイル４の上面に配置される。レバーの原理によれば、ユーザは、丸みのある部分３５２を支点としてインサート１２の上半分を上方に引っ張ることができ、パッド１１に近いインサート１２の下側部分には破断可能なシート１３が設けられているので、インサート１２の上側部分が上向きの力を受けると、シート１３が引き裂かれるかまたは破断され、それによってシート１３の上のインサート１２の部分が除去される。シート１３が力を受けた後に引き裂かれるだけで完全には破壊されない場合には、インサート１２の両側にバヨネット１８が設けられているので、ユーザはインサート１２の上側部分が完全に除去されるまで、反対側から上記の操作を繰り返すことができる。
【００６６】
図６および図７に示すように、この実施形態では、プッシュクランププライヤ３は、一端が第１のクランプ部分３１１に接続され、他端が第２のクランプ部分３２１に接続された弾性部材３６をさらに含む。あるいは、弾性部材の一端は第１のハンドヘルド部分３１２に接続され、弾性部材の他端は第２のハンドヘルド部分３２２に接続されている。プッシュクランププライヤ３の第１の構成要素３１と第２の構成要素３２が相対的に閉じているときは、ユーザの片手だけが内側に力を加える必要があるが、それらが相対的に開いているときには、ユーザは同時に両手を使う必要があるので、その操作は不便である。第１の構成要素３１と第２の構成要素３２との間に取り付けられた弾性部材３６により、第１の構成要素３１と第２の構成要素３２との間に一定の外向きの張力を与えることができるので、ユーザは片手で開閉操作を行うことができる。
【００６７】
好ましくは、この実施形態は、２つのハンドヘルド部分３１２、３２２の２つの対向する側面にそれぞれ配置された第１のガイドポスト３６１および第２のガイドポスト３６２をさらに含む。第１のガイドポスト３６１は、第１のハンドヘルド部分３１２の内側面から突出している。第２のガイドポスト３６２は、第２のハンドヘルド部分３２２の内側面から突出し、第２のガイドポスト３６２は、第１のガイドポスト３６１に対向して配置されている。弾性部材３６は、好ましくはコイルスプリングであり、一端が第１のガイドポスト３６１に被せられ、他端が第２のガイドポスト３６２に被せられている。他の変形実施形態では、２つのガイドポスト３６１、３６２は、２つのクランプ部分３１１、３２１の２つの対向する側面にそれぞれ配置されてもよく、第１のガイドポスト３６１は第１のクランプ部分３１１の内側面から突出し、第２のガイドポスト３６２は第２のクランプ部分３２１の内側面から突出し、第２のガイドポスト３６２は第１のガイドポスト３６１に対向して配置される。
【００６８】
図６〜図８に示すように、この実施形態では、プッシュクランププライヤ３は、プッシュクランププライヤ３７を開状態と閉状態との間で切り替えるための係止装置３７をさらに含み、開状態および閉状態は開いた状態および閉じた状態を含む。係止装置３７が係止されると、プッシュクランププライヤ３は閉状態になる。係止装置３７が係止解除されると、プッシュクランププライヤ３は開状態になる。
【００６９】
この実施形態では、プッシュクランププライヤ３が、両方ともピボットの外側に被せられた第１の屈曲部分３１５および第２の屈曲部分３２５をさらに含み、第２の構成要素３２がピボット３３を介して第１の構成要素３１にヒンジ止めされる。第１の屈曲部分３１５は第１のクランプ部分３１１の一部であり、第２の屈曲部分３２５は第２のクランプ部分３２１の一部である。
【００７０】
図６〜図１０に示すように、係止装置３７は、係止溝３７１と、係止部材３７２と、遮断ブロック３７３と、を含む。係止部材３７２および遮断ブロック３７３は、それぞれ２つのクランプ部分の端部であってハンドヘルド部分の近くに配置されている。
【００７１】
この実施形態では、好ましくは、係止溝３７１が第１の屈曲部分３１５の外側壁に配置され、係止部材３７２が第２のクランプ部分３２１の端部の表面に回転可能に嵌合して、係止溝３７１に対向して配置される。遮断ブロック３７３は、第１のクランプ部分３１１の端部の表面に配置され、かつ第２の屈曲部分３２５に対向して配置されている。プッシュクランププライヤの開き角度が最大のとき、遮断ブロック３７３は第２の屈曲部分３２５の外側壁と接触する。
【００７２】
図８に示すように、係止部材３７２は、係止部材本体３７２１と、係止係合ブロック３７２２と、タブ３７２３とを含む。係止部材本体３７２１は、第２のピボット３７２４を介して第１のクランプ部分３１１または第２のクランプ部分３２１の端部に回転可能に接続された金属シートであってもよい。ガスケット３７２５が、係止部材３７２と第１のクランプ部分３１１または第２のクランプ部分３２１との間に配置されている。係止部材３７２およびクランプ部分３１１、３２１は両方とも金属製であり、ガスケット３７２５は両者の相対回転を助けることができ、それによって構成要素間の摩耗を低減する。係止係合ブロック３７２２は、係止部材本体３７２１の表面の前端から突出している。係止係合ブロック３７２２が係止溝３７１内に係合されると、係止装置３７が係止される。係止係合ブロック３７２２が係止溝３７１から係合解除されると、係止装置３７は係止解除される。タブ３７２３は、係止部材本体３７２１の表面から突出し、かつその表面に対して垂直である。ユーザは指を使ってタブ３７２３を動かして係止部材本体３７２１を回転させることができ、その結果、係止係合ブロック３７２２は係止溝３７１内に係合されるかまたはそれから係合解除される。
【００７３】
プッシュクランププライヤ３を閉状態から開状態に調整する必要がある場合には、ユーザは、まず２つのハンドヘルド部分をさらに閉じ、次にタブ３７２３を反時計回りに回転させて、係止係合ブロック３７２２を係止溝３７１から係合解除し、したがって、係止解除することができる。そして、２つのクランプ部分が弾性部材３６（コイルばね）の作用で開く。
【００７４】
プッシュクランププライヤ３を開状態から閉状態に調整する必要がある場合には、ユーザは最初に２つのハンドヘルド部分を閉じ、次にタブ３７２３を時計回りに回転させて、係止係合ブロック３７２２を係止溝３７１に係合させる。したがって、２つのクランプ部分が閉状態に係止される。
【００７５】
同様に、係止溝３７１もまた第２の屈曲部分３２５の外側壁に配置されてもよく、係止部材３７２は第１のクランプ部分３１１の端部の表面に回転可能に嵌合して、係止溝３７１に対向して配置される。遮断ブロック３７３は、第２のクランプ部分３２１の端部の表面に配置され、第１の屈曲部分３１５に対向して配置されている。プッシュクランププライヤの開き角度が最大のとき、遮断ブロック３７３は第２の屈曲部分３１５の外側壁と接触する。
【００７６】
この実施形態は、セラミックタイルレベリングブラケット、プッシュクランププライヤならびにセラミックタイルのレベリングおよび敷設システムを提供し、セラミックタイルレベリング工程において、セラミックタイルレベリングブラケットおよびインサートブロックを使用して２つの隣接するセラミックタイルの間の接合部を支持することにより、同一面積内の複数のセラミックタイルの上面が同一平面上に保たれ、作業が単純かつ便利であり、そして敷設効率およびレベリング品質が効果的に改善され、それによって大規模な適用が容易になる。
【００７７】
上記の説明は本発明の好ましい実施形態にすぎず、当業者はまた、本発明の原理から逸脱することなく上記の技術的解決策に対していくつかの改良および改善を行うことができ、また、これらの改良および改善は、本発明の保護範囲内にあると見なされるべきである。
【図１】
2020514596.tif 000003
【図２】
2020514596.tif 000004
【図３】
2020514596.tif 000005
【図４】
2020514596.tif 000006
【図５】
2020514596.tif 000007
【図６】
2020514596.tif 000008
【図７】
2020514596.tif 000009
【図８】
2020514596.tif 000010
【図９】
2020514596.tif 000011
【図１０】
2020514596.tif 000012
【国際調査報告】
2020514596.tif 000013
2020514596.tif 000014
2020514596.tif 000015
2020514596.tif 000016
2020514596.tif 000017
2020514596.tif 000018
2020514596.tif 000019